(57)【要約】【課題】利用者の利便性を向上させたメディア再生システム、メディア再生装置及びプログラムを提供する。【解決手段】メディア再生装置１０は、コンテンツ関連情報としてのお気に入りデータを変更した場合に、変更されたお気に入りデータを他のメディア再生装置１０へ送信する。他のメディア再生装置１０は、メディア再生装置１０からのお気に入りデータを受信した場合に、受信されたお気に入りデータに基づいて、記憶しているお気に入りデータを更新する。【選択図】図１
2011199586.tif 000002
【特許請求の範囲】
【請求項１】
コンテンツデータを記憶するサーバと、前記コンテンツデータを再生する少なくとも第１のメディア再生装置と第２のメディア再生装置とがネットワークを介して接続されたメディア再生システムであって、
前記第１のメディア再生装置は、
前記第１のメディア再生装置における前記コンテンツデータの処理に関連するコンテンツ関連情報を変更する変更部と、
前記変更部により変更された前記コンテンツ関連情報を第２のメディア再生装置へ送信する送信部と
を備え、
前記第２のメディア再生装置は、
前記第１のメディア再生装置から送信される前記コンテンツ関連情報を受信する受信部と、
受信された前記コンテンツ関連情報に基づいて、保持している前記コンテンツ関連情報を更新する更新部と
を備えるメディア再生システム。
【請求項２】
コンテンツデータを再生するメディア再生装置であって、
前記メディア再生装置における前記コンテンツデータの処理に関連するコンテンツ関連情報を変更する変更部と、
前記変更部により変更された前記コンテンツ関連情報を他のメディア再生装置へ送信する送信部と
を備えるメディア再生装置。
【請求項３】
前記送信部は、前記コンテンツ関連情報の送信先である他のメディア再生装置をグループに分類し、前記グループ毎に前記コンテンツ関連情報を送信する請求項２に記載のメディア再生装置。
【請求項４】
コンテンツデータを再生するメディア再生装置であって、
他のメディア再生装置から送信される、前記他のメディア再生装置における前記コンテンツデータの処理に関連するコンテンツ関連情報を受信する受信部と、
受信された前記コンテンツ関連情報に基づいて、保持している前記コンテンツ関連情報を更新する更新部と
を備えるメディア再生装置。
【請求項５】
前記コンテンツ関連情報は、対応するコンテンツデータが利用者によって好まれたコンテンツデータであることを示す情報、対応するコンテンツデータの録画予約に関する情報、番組表の情報、及び、対応するコンテンツデータの再生を再開する時間位置に関する情報の少なくとも何れかである請求項２乃至４の何れかに記載のメディア再生装置。
【請求項６】
コンテンツデータを再生するメディア再生装置に、
前記メディア再生装置における前記コンテンツデータの処理に関連するコンテンツ関連情報を変更するステップと、
変更された前記コンテンツ関連情報を他のメディア再生装置へ送信するステップと
を実行させるプログラム。
【請求項７】
コンテンツデータを再生するメディア再生装置に、
他のメディア再生装置から送信される、前記他のメディア再生装置における前記コンテンツデータの処理に関連するコンテンツ関連情報を受信するステップと、
受信された前記コンテンツ関連情報に基づいて、保持している前記コンテンツ関連情報を更新するステップと
を実行させるプログラム。
【発明の詳細な説明】
【技術分野】
【０００１】
本発明は、コンテンツデータを記憶するサーバと、コンテンツデータを再生する複数のメディア再生装置とを含むメディア再生システム、メディア再生装置、及び、メディア再生装置において実行されるプログラムに関する。
【背景技術】
【０００２】
外部の装置に記憶されたコンテンツデータをネットワーク経由で取得し、再生するメディア再生装置が普及しつつある。メディア再生装置の利便性を向上させる様々な技術が提案されている。例えば、特許文献１に記載のメディア再生装置は、第１のコンテンツデータを再生するとともに、当該第１のコンテンツデータの続きとなる第２のコンテンツデータを検索する。メディア再生装置は、第１のコンテンツデータの再生終了後に、検索により得られた第２のコンテンツデータを再生する。
【先行技術文献】
【特許文献】
【０００３】
【特許文献１】特開２００７−３１２２１５号公報
【発明の概要】
【発明が解決しようとする課題】
【０００４】
ところで、近年、家屋内の各部屋にメディア再生装置を設置し、利用者が、様々な場所で映像や音声を視聴することが可能なシステムが提案されている。このようなシステムでは、利用者が存在する部屋に設置された第１のメディア再生装置が再生を中断し、その後に利用者が移動した別の部屋に設置された第２のメディア再生装置が再生を再開するといった利用形態が考えられる。このような複数のメディア再生装置による利用形態によって、利用者の利便性を向上させるための仕組みが要求されている。
【０００５】
上記問題点に鑑み、本発明は、利用者の利便性を向上させたメディア再生システム、メディア再生装置及びプログラムを提供することを目的とする。
【課題を解決するための手段】
【０００６】
上述した課題を解決するために、本発明は以下のような特徴を有している。
【０００７】
本発明の第１の特徴は、コンテンツデータを記憶するサーバと、前記コンテンツデータを再生する少なくとも第１のメディア再生装置と第２のメディア再生装置とがネットワークを介して接続されたメディア再生システムであって、前記第１のメディア再生装置は、前記第１のメディア再生装置における前記コンテンツデータの処理に関連するコンテンツ関連情報を変更する変更部と、前記変更部により変更された前記コンテンツ関連情報を第２のメディア再生装置へ送信する送信部とを備え、前記第２のメディア再生装置は、前記第１のメディア再生装置から送信される前記コンテンツ関連情報を受信する受信部と、受信された前記コンテンツ関連情報に基づいて、保持している前記コンテンツ関連情報を更新する更新部とを備えることを要旨とする。
【０００８】
このようなメディア再生システムでは、第１のメディア再生装置は、コンテンツ関連情報を変更した場合に、変更されたコンテンツ関連情報を第２のメディア再生装置へ送信する。第２のメディア再生装置は、第１のメディア再生装置から送信されるコンテンツ関連情報を受信した場合に、受信されたコンテンツ関連情報に基づいて、保持しているコンテンツ関連情報を更新する。
【０００９】
従って、メディア再生装置間でコンテンツ関連情報が共有されることになり、複数のメディア再生装置が用いられる場合の利用者の利便性が向上する。
【００１０】
本発明の第２の特徴は、コンテンツデータを再生するメディア再生装置であって、前記メディア再生装置における前記コンテンツデータの処理に関連するコンテンツ関連情報を変更する変更部と、前記変更部により変更された前記コンテンツ関連情報を他のメディア再生装置へ送信する送信部とを備えることを要旨とする。
【００１１】
本発明の第３の特徴は、前記送信部は、前記コンテンツ関連情報の送信先である他のメディア再生装置をグループに分類し、前記グループ毎に前記コンテンツ関連情報を送信することを要旨とする。
【００１２】
本発明の第４の特徴は、コンテンツデータを再生するメディア再生装置であって、他のメディア再生装置から送信される、前記他のメディア再生装置における前記コンテンツデータの処理に関連するコンテンツ関連情報を受信する受信部と、受信された前記コンテンツ関連情報に基づいて、保持している前記コンテンツ関連情報を更新する更新部とを備えることを要旨とする。
【００１３】
本発明の第５の特徴は、前記コンテンツ関連情報は、対応するコンテンツデータが利用者によって好まれたコンテンツデータであることを示す情報、対応するコンテンツデータの録画予約に関する情報、番組表の情報、及び、対応するコンテンツデータの再生を再開する時間位置に関する情報の少なくとも何れかであることを要旨とする。
【００１４】
本発明の第６の特徴は、コンテンツデータを再生するメディア再生装置に、前記メディア再生装置における前記コンテンツデータの処理に関連するコンテンツ関連情報を変更するステップと、変更された前記コンテンツ関連情報を他のメディア再生装置へ送信するステップとを実行させるプログラムであることを要旨とする。
【００１５】
本発明の第７の特徴は、コンテンツデータを再生するメディア再生装置に、他のメディア再生装置から送信される、前記他のメディア再生装置における前記コンテンツデータの処理に関連するコンテンツ関連情報を受信するステップと、受信された前記コンテンツ関連情報に基づいて、保持している前記コンテンツ関連情報を更新するステップとを実行させるプログラムであることを要旨とする。
【発明の効果】
【００１６】
本発明によれば、利用者の利便性を向上できる。
【図面の簡単な説明】
【００１７】
【図１】本発明の実施形態に係るメディア再生システムの全体概略構成図である。
【図２】本発明の実施形態に係るメディア再生装置の構成図である。
【図３】本発明の実施形態に係るメディア再生システムにおけるお気に入りデータの一例を示す図である。
【図４】本発明の実施形態に係るメディア再生システムにおけるデバイスの検索及びデバイスの情報の取得の動作を示すシーケンス図である。
【図５】本発明の実施形態に係るメディア再生システムにおけるコンテンツデータの再生の動作を示すシーケンス図である。
【図６】本発明の実施形態に係るメディア再生システムにおけるお気に入りデータの変更及び更新の動作を示すシーケンス図である。
【図７】本発明の実施形態に係るメディア再生システムにおけるお気に入りデータに係るコンテンツデータの再生の動作を示すシーケンス図である。
【図８】本発明の実施形態に係る他のメディア再生システムの全体概略構成図である。
【図９】本発明の実施形態に係るメディア再生システムにおけるグループ管理テーブルの一例を示す図である。
【図１０】本発明の実施形態に係るメディア再生システムにおけるグループ毎のお気に入りデータの他の例を示す図である。
【発明を実施するための形態】
【００１８】
次に、図面を参照して、本発明の実施形態を説明する。具体的には、（１）メディア再生システムの構成、（２）メディア再生システムの動作、（３）作用・効果、（４）その他の実施形態について説明する。以下の実施形態における図面の記載において、同一又は類似の部分には同一又は類似の符号を付している。
【００１９】
（１）メディア再生システムの構成
図１は、本発明の実施形態に係るメディア再生システム１の全体概略構成図である。
【００２０】
図１に示すように、メディア再生システム１は、家屋内に構成され、コンテンツデータを再生するメディア再生装置１０−１、１０−２及び１０−３と、コンテンツデータを記憶するＮＡＳ（Network Attached Storage）２０−１及び２０−２とを有する。メディア再生装置１０−１、１０−２及び１０−３と、ＮＡＳ２０−１及び２０−２とは、ネットワーク３０に接続される。メディア再生装置１０−１及びＮＡＳ２０−１は、リビングに設けられ、メディア再生装置１０−２は、寝室に設けられる。メディア再生装置１０−３は、子供部屋に設けられ、ＮＡＳ２０−２は、納戸に設けられる。以下、メディア再生装置１０−１、１０−２及び１０−３をまとめて、適宜「メディア再生装置１０」と称し、ＮＡＳ２０−１及び２０−２をまとめて、適宜「ＮＡＳ２０」と称する。
【００２１】
図２は、メディア再生装置１０の構成図である。図２に示すように、メディア再生装置１０は、制御部１００、通信制御部１１０、不揮発性メモリ１１２、揮発性メモリ１１４、入力部１１６、映像処理部１１８、映像出力部１２０、音声処理部１２２及び音声出力部１２４を含む。
【００２２】
制御部１００は、例えばＣＰＵによって構成され、メディア再生装置１０が具備する各種機能を制御する。
【００２３】
通信制御部１１０は、他のメディア再生装置１０及びＮＡＳ２０との通信を行う通信インタフェースであり、他のメディア再生装置１０及びＮＡＳ２０との間で、ネットワーク３０を介した通信を行う。
【００２４】
不揮発性メモリ１１２及び揮発性メモリ１１４は、メディア再生装置１０における制御などに用いられる各種情報を記憶する。
【００２５】
入力部１１６は、テンキーやファンクションキーなどによって構成されたり、外部のリモートコントロール装置の操作によって当該リモートコントロール装置から出力される操作信号を受信する受信部により構成され、ユーザの操作内容を入力するために用いられるインタフェースである。
【００２６】
映像処理部１１８は、コンテンツデータの再生時に制御部１００からの映像データが入力される。映像処理部１１８は、映像データを映像出力部１２０において表示可能な映像信号に変換して、当該映像信号を映像出力部１２０へ出力する。映像出力部１２０は、例えば、ディスプレイであり、入力された映像信号に応じた映像を表示する。
【００２７】
音声処理部１２２は、コンテンツデータの再生時に制御部１００からの音声データが入力される。音声処理部１２２は、音声データを音声出力部１２４において出力可能な音声信号に変換して、当該音声信号を音声出力部１２４へ出力する。音声出力部１２４は、例えば、スピーカであり、入力された音声信号に応じた音声を出力する。
【００２８】
制御部１００は、コンテンツ関連情報変更部１０２、コンテンツ関連情報送信部１０４、コンテンツ関連情報受信部１０６及びコンテンツ関連情報更新部１０８を含む。
【００２９】
コンテンツ関連情報変更部１０２は、利用者による入力部１１６の操作に応じて、当該メディア再生装置１０におけるコンテンツデータの処理に関連するコンテンツ関連情報を変更する。ここで、コンテンツ関連情報は、対応するコンテンツデータが利用者によって好まれたコンテンツデータであることを示すお気に入りデータと称される情報である。
【００３０】
コンテンツ関連情報であるお気に入りデータの変更とは、お気に入りデータが新たに生成される場合、お気に入りデータが追加される場合、お気に入りデータが削除される場合の何れをも含む概念である。変更されたお気に入りデータは、不揮発性メモリ１１２に記憶される。
【００３１】
図３は、お気に入りデータの一例を示す図である。図３に示すように、お気に入りデータは、対応するコンテンツデータの名称（コンテンツ名）、対応するコンテンツデータのジャンル、対応するコンテンツデータの再生時間、対応するコンテンツデータに関するその他の情報（例えば、コンテンツデータがテレビ放送の番組に係るコンテンツデータである場合には当該テレビ放送のチャンネルの情報であり、撮影により得られたコンテンツデータである場合には、撮影データであることを示す情報）、対応するコンテンツデータが記憶されているＮＡＳ２０の識別情報（サーバＵＵＩＤ）、及び、ＮＡＳ２０における対応するコンテンツデータの保存場所（フォルダ名）、ファイル名、種類等の情報（ＰｒｏｔｏｃｏｌＩｎｆｏ）を含む。
【００３２】
コンテンツ関連情報送信部１０４は、コンテンツ関連情報変更部１０２によって変更されたお気に入りデータを、他のメディア再生装置１０へ通信制御部１１０を介して送信する。なお、コンテンツ関連情報送信部１０４は、変更されたお気に入りデータの全てを送信しなくてもよい。例えば、コンテンツ関連情報送信部１０４は、コンテンツデータが「お気に入り」として追加された場合には、その追加されたコンテンツデータに対応する部分のみのお気に入りデータを送信してもよい。また、コンテンツ関連情報送信部１０４は、コンテンツデータが「お気に入り」から削除された場合には、削除されたコンテンツデータに対応する部分のみのお気に入りデータを、削除されたことを示す情報ととも送信してもよい。
【００３３】
コンテンツ関連情報受信部１０６は、他のメディア再生装置１０から送信されるお気に入りデータを、通信制御部１１０を介して受信する。
【００３４】
コンテンツ関連情報更新部１０８は、コンテンツ関連情報受信部１０６によって受信されたお気に入りデータに基づいて、不揮発性メモリ１１２に記憶されているお気に入りデータを更新する。
【００３５】
（２）メディア再生システムの動作
次に、メディア再生システム１の動作を説明する。以下の動作における信号の送信及び受信は、ＤＬＮＡ（Digital Living Network Alliance）のコマンドフォーマットに対応する信号の送信及び受信である。また、信号の送信元及び宛先は、機器の識別情報（ＵＵＩＤ）により特定される。
【００３６】
図４は、メディア再生システム１におけるデバイスの検索及びデバイスの情報の取得の動作を示すシーケンス図である。
【００３７】
ステップＳ１０１において、メディア再生装置１０−１の電源が投入されると、制御部１００は、マルチキャスト通信により、ネットワーク３０に接続された他の機器を検索するためのデバイス検索の信号を送信する。ネットワーク３０に接続された他の機器であるメディア再生装置１０−２及び１０−３内の制御部１００と、ＮＡＳ２０−１及び２０−２内の図示しない制御部は、デバイス検索の信号を受信する。
【００３８】
ステップＳ１０２において、メディア再生装置１０−２及び１０−３内の制御部１００と、ＮＡＳ２０−１及び２０−２内の制御部とは、デバイス検索の信号に対する応答として、自身を内蔵する機器のＵＵＩＤを含んだデバイス応答の信号を、メディア再生装置１０−１へ送信する。メディア再生装置１０−１内の制御部１００は、デバイス応答の信号を受信する。メディア再生装置１０−１は、デバイス応答の信号に基づいて、ネットワーク３０に他の機器が接続されていることを認識できる。
【００３９】
ステップＳ１０３において、メディア再生装置１０−１内の制御部１００は、通信制御部１１０を介して、ユニキャスト通信により、ネットワーク３０に接続された他の機器の種別を特定するためのデバイス情報要求の信号を、メディア再生装置１０−２及び１０−３とＮＡＳ２０−１及び２０−２それぞれに送信する。メディア再生装置１０−２、１０−３内の制御部１００と、ＮＡＳ２０−１及び２０−２内の制御部は、デバイス情報要求の信号を受信する。
【００４０】
ステップＳ１０４において、メディア再生装置１０−２及び１０−３内の制御部１００と、ＮＡＳ２０−１及び２０−２内の制御部とは、デバイス情報要求の信号に対する応答として、自身を内蔵する機器の種別の情報（自身を内蔵する機器がメディア再生装置であるか、ＮＡＳであるかを示す情報）を含んだデバイス情報応答の信号を、メディア再生装置１０−１へ送信する。メディア再生装置１０−１内の制御部１００は、デバイス情報応答の信号を受信する。メディア再生装置１０−１は、デバイス情報応答の信号に基づいて、ネットワーク３０に接続されている機器がメディア再生装置１０−２及び１０−３と、ＮＡＳ２０−１及び２０−２とであることを認識できる。
【００４１】
図５は、メディア再生システム１におけるコンテンツデータの再生の動作を示すシーケンス図である。
【００４２】
ステップＳ２０１において、メディア再生装置１０−１内の制御部１００は、利用者による入力部１１６の操作に応じて、ＮＡＳ２０−１及びＮＡＳ２０−２の何れかを指定して当該ＮＡＳ２０においてコンテンツデータを格納しているフォルダの情報を要求するためのＮＡＳ指定・フォルダ情報要求の信号を送信する。指定されたＮＡＳ２０内の制御部は、ＮＡＳ指定・フォルダ情報要求の信号を受信する。
【００４３】
ステップＳ２０２において、ＮＡＳ２０内の制御部は、ＮＡＳ指定・フォルダ情報要求の信号に対する応答として、当該ＮＡＳ２０においてコンテンツデータを格納しているフォルダの情報（フォルダ情報）の信号を、メディア再生装置１０−１へ送信する。メディア再生装置１０−１内の制御部１００は、フォルダ情報の信号を受信する。
【００４４】
ステップＳ２０３において、メディア再生装置１０−１内の制御部１００は、フォルダ情報に対応するフォルダのリストについての画像データを生成して映像処理部１１８へ出力する。映像処理部１１８は、入力された画像データを映像出力部１２０において表示可能な画像信号に変換して、映像出力部１２０へ出力する。映像出力部１２０は、入力された画像信号に応じたフォルダのリストの画像を表示する。
【００４５】
ステップＳ２０４において、メディア再生装置１０−１内の制御部１００は、利用者による入力部１１６の操作に応じて、フォルダ情報によって特定されるフォルダの何れかを指定して、当該フォルダに格納されているコンテンツデータの情報（再生可能コンテンツ情報）を要求するためのフォルダ指定・再生可能コンテンツ情報要求の信号を送信する。ＮＡＳ２０内の制御部は、フォルダ指定・再生可能コンテンツ情報要求の信号を受信する。
【００４６】
ステップＳ２０５において、ＮＡＳ２０内の制御部は、フォルダ指定・再生可能コンテンツ情報要求の信号の応答として、指定されたフォルダに格納されているコンテンツデータの情報である再生可能コンテンツ情報の信号をメディア再生装置１０−１へ送信する。再生可能コンテンツ情報には、図３に示すお気に入りデータ内の情報が含まれている。メディア再生装置１０−１内の制御部１００は、再生可能コンテンツ情報の信号を受信する。
【００４７】
ステップＳ２０６において、メディア再生装置１０−１内の制御部１００は、再生可能コンテンツ情報に対応するコンテンツのリストについての画像データを生成して映像処理部１１８へ出力する。映像処理部１１８は、入力された画像データを映像出力部１２０において表示可能な画像信号に変換して、映像出力部１２０へ出力する。映像出力部１２０は、入力された画像信号に応じたコンテンツのリストの画像を表示する。
【００４８】
ステップＳ２０７において、メディア再生装置１０−１内の制御部１００は、利用者による入力部１１６の操作に応じて、再生可能コンテンツ情報によって特定されるコンテンツデータの何れかを指定して、当該コンテンツデータの再生開始を要求するためのコンテンツ指定・再生可開始要求の信号を送信する。コンテンツ指定・再生可開始要求の信号には、指定されたコンテンツデータを格納するフォルダ名及び指定されたコンテンツデータのファイル名が含まれる。ＮＡＳ２０内の制御部は、コンテンツ指定・再生開始要求の信号を受信する。
【００４９】
ステップＳ２０８において、ＮＡＳ２０内の制御部は、コンテンツ指定・再生開始要求の信号の応答としての再生開始応答の信号と、指定されたコンテンツデータとをメディア再生装置１０−１へ送信する。メディア再生装置１０−１内の制御部１００は、再生開始応答の信号と、コンテンツデータとを受信する。
【００５０】
その後、ステップＳ２０９において、ＮＡＳ２０内の制御部は、指定されたコンテンツデータを継続的にメディア再生装置１０−１へ送信する。メディア再生装置１０−１内の制御部１００は、コンテンツデータを受信し、再生処理を行う。
【００５１】
図６は、メディア再生システム１におけるお気に入りデータの変更及び更新の動作を示すシーケンス図である。図６に示す動作は、図５のステップＳ２０５における、メディア再生装置１０−１による再生可能コンテンツ情報の受信以降に可能となる。
【００５２】
ステップＳ３０１において、メディア再生装置１０−１内の制御部１００におけるコンテンツ関連情報変更部１０２は、利用者による入力部１１６の操作に応じて、お気に入りデータを変更する。
【００５３】
ステップＳ３０２において、メディア再生装置１０−１内の制御部１００におけるコンテンツ関連情報送信部１０４は、変更されたお気に入りデータをメディア再生装置１０−２及び１０−３へ送信する。この場合、コンテンツ関連情報送信部１０４は、マルチキャスト通信によりメディア再生装置１０−２及び１０−３を宛先として指定し、変更されたお気に入りデータを送信してもよく、ユニキャスト通信により、メディア再生装置１０−２及び１０−３に対して、個別に変更されたお気に入りデータを送信してもよい。メディア再生装置１０−２及び１０−３内の制御部１００におけるコンテンツ関連情報受信部１０６は、変更されたお気に入りデータを受信する。
【００５４】
ステップＳ３０３において、メディア再生装置１０−２及び１０−３内の制御部１００におけるコンテンツ関連情報更新部１０８は、不揮発性メモリ１１２に記憶されているお気に入りデータを、コンテンツ関連情報受信部１０６によって受信されたお気に入りデータに更新する。
【００５５】
図７は、メディア再生システム１におけるお気に入りデータに係るコンテンツデータの再生の動作を示すシーケンス図である。
【００５６】
ステップＳ４０１において、メディア再生装置１０内の制御部１００は、利用者による入力部１１６の操作に応じて、お気に入りデータに対応するコンテンツデータを再生対象として指定する。
【００５７】
ステップＳ４０２において、メディア再生装置１０内の制御部１００は、指定されたコンテンツデータの再生開始を要求するためのコンテンツ指定・再生可開始要求の信号を送信する。ＮＡＳ２０内の制御部は、コンテンツ指定・再生開始要求の信号を受信する。
【００５８】
ステップＳ４０３において、ＮＡＳ２０内の制御部は、コンテンツ指定・再生開始要求の信号の応答としての再生開始応答の信号と、指定されたコンテンツデータとをメディア再生装置１０−１へ送信する。メディア再生装置１０−１内の制御部１００は、再生開始応答の信号と、コンテンツデータとを受信する。
【００５９】
その後、ステップＳ４０４において、ＮＡＳ２０内の制御部は、指定されたコンテンツデータを継続的にメディア再生装置１０−１へ送信する。メディア再生装置１０−１内の制御部１００は、コンテンツデータを受信し、再生処理を行う。
【００６０】
（３）作用・効果
本発明の実施形態において、メディア再生装置１０は、コンテンツ関連情報としてのお気に入りデータを変更した場合に、変更されたお気に入りデータを他のメディア再生装置１０へ送信する。他のメディア再生装置１０は、メディア再生装置１０からのお気に入りデータを受信した場合に、受信されたお気に入りデータに基づいて、記憶しているお気に入りデータを更新する。
【００６１】
従って、メディア再生装置１０の間でお気に入りデータが共有されることになる。このため、利用者は、１のメディア再生装置１０におけるお気に入りデータを、他のメディア再生装置１０においても利用でき、利用者の利便性が向上する。
【００６２】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００６３】
上述した実施形態では、メディア再生システム１は、家屋内に構成されたが、他の場所に構成されてもよい。
【００６４】
図８は、本発明の実施形態に係る他のメディア再生システム２の全体概略構成図である。
【００６５】
図８に示すように、メディア再生システム２は、学校の校舎内に構成され、コンテンツデータを再生するメディア再生装置１０−１乃至１０−ｎと、コンテンツデータを記憶するＮＡＳ２０−１及び２０−２とを有する。メディア再生装置１０−１乃至１０−ｎと、ＮＡＳ２０−１及び２０−２とは、ネットワーク３０に接続される。メディア再生装置１０−１と、ＮＡＳ２０−１及び２０−２とは、職員室に設けられ、メディア再生装置１０−２乃至１０−ｎは、教室１乃至ｎ−１に設けられる。メディア再生装置１０の構成は、図２と同様であるため、その説明は省略する。
【００６６】
メディア再生システム２においては、職員室に設けられたメディア再生装置１０−１のみが、上述と同様に、コンテンツ関連情報としてのお気に入りデータを変更することができ、変更されたお気に入りデータを他のメディア再生装置１０−２乃至１０−ｎへ送信する。一方、他のメディア再生装置１０−２乃至１０−ｎは、上述と同様に、メディア再生装置１０−１からのお気に入りデータを受信した場合に、記憶しているお気に入りデータを受信されたお気に入りデータに更新する。
【００６７】
但し、職員室に設けられたメディア再生装置１０−１は、変更されたお気に入りデータを他のメディア再生装置１０−２乃至１０−ｎへ送信する際に、送信先である他のメディア再生装置１０−２乃至１０−ｎをグループに分類し、グループ毎にお気に入りデータを送信する。
【００６８】
具体的には、メディア再生装置１０−１内の不揮発性メモリ１１２には、グループ管理テーブルが記憶されている。グループ管理テーブルは、利用者による入力部１１６の操作に応じて、制御部１００によって生成され、不揮発性メモリ１１２に記憶される。
【００６９】
図９は、メディア再生システム２におけるグループ管理テーブルの一例を示す図である。図９に示すように、グループ管理テーブルは、グループ管理情報と、グループ内メディア再生装置管理情報とにより構成される。
【００７０】
グループ管理情報は、対応するグループの識別情報であるグループ番号と、対応するグループの名称（グループ名）とを含む。グループ内メディア再生装置管理情報は、対応するグループに属する各メディア再生装置１０のＵＵＩＤ、製品モデル名、及び、付与された名称とを含む。
【００７１】
メディア再生装置１０−１の制御部１００内のコンテンツ関連情報変更部１０２は、利用者による入力部１１６の操作に応じて、グループ毎に、お気に入りデータを変更する。
【００７２】
図１０は、メディア再生システム２におけるお気に入りデータの一例を示す図である。図１０に示すように、お気に入りデータは、グループ毎に構成され、当該グループの識別情報であるグループ番号と、対応するコンテンツデータの名称（コンテンツ名）、対応するコンテンツデータのジャンル、対応するコンテンツデータの再生時間、対応するコンテンツデータに関するその他の情報、対応するコンテンツデータが記憶されているＮＡＳ２０の識別情報（サーバＵＵＩＤ）、及び、ＮＡＳ２０における対応するコンテンツデータの保存場所（フォルダ名）、ファイル名、種類等の情報（ＰｒｏｔｏｃｏｌＩｎｆｏ）を含む。
【００７３】
コンテンツ関連情報送信部１０４は、コンテンツ関連情報変更部１０２によってお気に入りデータが変更された場合、変更されたお気に入りデータに含まれるグループ番号を特定する。コンテンツ関連情報送信部１０４は、グループ管理テーブルを参照し、特定したグループ番号に対応付けられているメディア再生装置１０のＵＵＩＤを特定する。コンテンツ関連情報送信部１０４は、特定したメディア再生装置１０のＵＵＩＤを宛先として、変更されたお気に入りデータを送信する。
【００７４】
上述した実施形態では、コンテンツ関連情報がお気に入りデータの場合について説明したが、他の情報がコンテンツ関連情報であってもよい。
【００７５】
例えば、コンテンツ関連情報は、対応するコンテンツデータの録画予約に関する情報（録画予約情報）でもよい。この場合、メディア再生装置１０は、録画機能を有する。１のメディア再生装置１０内の制御部１００におけるコンテンツ関連情報変更部１０２は、利用者による入力部１１６を用いた録画予約の操作に応じて、コンテンツデータの録画予約情報を変更する。録画予約に関する情報には、対応するコンテンツデータが放送される時間帯及びチャンネルの情報が含まれる。
【００７６】
コンテンツ関連情報送信部１０４は、変更された録画予約情報を解析し、複数のコンテンツデータの間で録画予約の時間帯が重複しているか否かを判定する。複数のコンテンツデータの間で録画予約の時間帯が重複している場合、コンテンツ関連情報送信部１０４は、録画予約の時間帯が重複している複数のコンテンツデータのそれぞれに対応する録画予約情報のうち、１つの録画予約情報以外の録画予約情報を、別々の他のメディア再生装置１０へ送信する。
【００７７】
他のメディア再生装置１０の制御部１００におけるコンテンツ関連情報受信部１０６は、１のメディア再生装置１０からの録画予約情報を受信する。コンテンツ関連情報更新部１０８は、受信された録画予約情報を、不揮発性メモリ１１２に記憶されている録画予約情報に追加する。
【００７８】
これにより、１のメディア再生装置１０が、録画が予約されたコンテンツデータの録画ができない場合においても、他のメディア再生装置１０が録画することが可能となり、利用者の利便性が向上する。
【００７９】
例えば、コンテンツ関連情報は、対応するコンテンツデータが示される電子番組表の情報でもよい。この場合、１のメディア再生装置１０は、チューナを内蔵し、電子番組表の情報を受信できる。１のメディア再生装置１０内の制御部１００におけるコンテンツ関連情報変更部１０２は、電子番組表の情報が受信される毎に、保持している電子番組表の情報を更新（変更）する。コンテンツ関連情報送信部１０４は、変更された電子番組表の情報を他のメディア再生装置１０へ送信する。
【００８０】
他のメディア再生装置１０内の制御部１００におけるコンテンツ関連情報受信部１０６は、１のメディア再生装置１０からの電子番組表の情報を受信する。コンテンツ関連情報更新部１０８は、不揮発性メモリ１１２に記憶されている電子番組表の情報を、受信された電子番組表の情報に更新する。更新された電子番組表の情報は、利用者による入力部１１６の操作に応じて、映像出力部１２０に表示される。
【００８１】
これにより、１のメディア再生装置１０のみが電子番組表の情報を受信可能である場合においても、他のメディア再生装置１０は、電子番組表の情報を取得し、表示でき、利用者の利便性が向上する。
【００８２】
例えば、コンテンツ関連情報は、対応するコンテンツデータの再生を再開する時間位置に関する情報でもよい。この場合、１のメディア再生装置１０内の制御部１００におけるコンテンツ関連情報変更部１０２は、コンテンツデータの再生中に、利用者による入力部１１６を用いた再生中断の操作が行われた場合、当該操作に応じて、コンテンツデータの再生を再開する時間位置（再生再開位置）の情報を生成する。再生再開位置の情報には、再生が中断された位置を示すタイムスタンプ（コンテンツデータの先頭からの時間位置）、再生が中断されたコンテンツデータが記憶されているＮＡＳ２０のＵＵＩＤ、再生が中断されたコンテンツデータが格納されているフォルダ名、再生が中断されたコンテンツのファイル名等が含まれる。
【００８３】
コンテンツ関連情報送信部１０４は、生成された再生再開位置の情報を他のメディア再生装置１０へ送信する。
【００８４】
他のメディア再生装置１０内の制御部１００におけるコンテンツ関連情報受信部１０６は、１のメディア再生装置１０からの再生再開位置の情報を受信する。コンテンツ関連情報更新部１０８は、受信された再生再開位置の情報に基づいて、不揮発性メモリ１１２に記憶されている再生再開位置の情報を更新する。
【００８５】
再生再開位置の情報は、映像出力部１２０に表示される。利用者は、入力部１１６の操作により、再生再開位置の情報を選択することができる。制御部１００は、選択された再生再開位置の情報に基づいて、ＮＡＳ２０から再生再開の対象となるコンテンツデータを取得し、再生再開位置から再生を再開することができる。
【００８６】
これにより、１のメディア再生装置１０がコンテンツデータの再生を中断した場合に、他のメディア再生装置１０が、再生が中断された位置からコンテンツデータの再生を再開でき、利用者の利便性が向上する。
【００８７】
上述した実施形態では、ＮＡＳ２０にコンテンツデータが記憶されている場合について説明したが、ＮＡＳ２０に代えて、サーバやパーソナルコンピュータ等、コンテンツデータを記憶可能な装置であれば、同様に本発明を適用することができる。
【００８８】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８９】
１…メディア再生システム、１０−１、１０−２、１０−３…メディア再生装置、２０−１、２０−２…ＮＡＳ、１００…制御部、１０２…コンテンツ関連情報変更部、１０４…コンテンツ関連情報送信部、１０６…コンテンツ関連情報受信部、１０８…コンテンツ関連情報更新部、１１０…通信制御部、１１２…不揮発性メモリ、１１４…揮発性メモリ、１１６…入力部、１１８…映像処理部、１２０…映像出力部、１２２…音声処理部、１２４…音声出力部
【図１】
2011199586.tif 000003
【図２】
2011199586.tif 000004
【図３】
2011199586.tif 000005
【図４】
2011199586.tif 000006
【図５】
2011199586.tif 000007
【図６】
2011199586.tif 000008
【図７】
2011199586.tif 000009
【図８】
2011199586.tif 000010
【図９】
2011199586.tif 000011
【図１０】
2011199586.tif 000012